(57)【要約】      （修正有）【課題】ソールの一部に導電性材料を使用した履物を提供する。【解決手段】ソールを有した履物である。ソールは、地面に接触するアウトソール層２１と、着用者の足をサポートする上層２２と、この上層２２とアウトソール層２１との間に位置する中間層２３とを備える。上層２２には上層導電部２２Ａ、中間層２３には上層導電部２２Ａに接触する中間導電部２３Ａ、アウトソール層２１には、中間導電部２３Ａに接触するアウトソール導電部２１Ａをそれぞれ有するものである。【選択図】図２
0003191380.tif 000002
【実用新案登録請求の範囲】
【請求項１】
ソールを有した履物であって、
前記ソールは、地面に接触するアウトソール層と、着用者の足をサポートする上層と、この上層と前記アウトソール層との間に位置する中間層とを有し、
前記上層には、前記上層の長手方向を横断する方向に形成された上層導電部を有し、
前記中間層には、前記上層導電部に接触する中間導電部を有し、
前記アウトソール層には、前記中間導電部に接触するアウトソール導電部を有し、
前記上層導電部は、前記上層の足指と土踏まずの間の盛り上がった部分である足根小球が当接する部分に前記上層の長手方向を横断する方向に導電性の糸でジグザグ状、又は、直線状に形成され、
前記中間導電部は、
前記中間層の表面から裏面に至る第１のスリットと、
この第１のスリットを介して前記中間層の表面から裏面に付着された第１の帯状の導電部とを有し、
前記アウトソール導電部は、
前記アウトソール層の裏面に設けられた前記裏面に開口する凹所と、
前記アウトソール層の表面から前記凹所に至るスリットと、
このスリットを介して前記アウトソール層の表面から前記凹所の天井面に付着された第２の帯状の導電部と、
前記凹所を埋めるように設けられた導電性の合成樹脂で形成された導電性合成樹脂体とを有し、
前記導電性合成樹脂体は前記第２の帯状の導電部に接触している
ことを特徴とする履物。
【請求項２】
ソールを有した履物であって、
前記ソールは、地面に接触するアウトソール層と、着用者の足をサポートする上層と、この上層と前記アウトソール層との間に位置する中間層とを有し、
前記上層には、前記上層の長手方向を横断する方向に形成された上層導電部を有し、
前記中間層には、前記上層導電部に接触する中間導電部を有し、
前記アウトソール層には、前記中間導電部に接触するアウトソール導電部を有し、
前記上層導電部は、前記上層の足指と土踏まずの間の盛り上がった部分である足根小球が当接する部分に前記上層の長手方向を横断する方向に導電性の糸でジグザグ状、又は、直線状に形成され、
前記中間導電部は、
前記中間層の表面から裏面に至る第１のスリットと、
この第１のスリットを介して前記中間層の表面から裏面に付着された第１の帯状の導電部とを有し、
前記アウトソール導電部は、
前記アウトソール層を貫通する開口部と、
この開口部を埋めるように設けられた導電性の合成樹脂で形成された導電性合成樹脂体とを有する
ことを特徴とする履物。
【請求項３】
アウトソール層の裏面に前記アウトソール層の長手方向を横断する方向に複数の溝を形成し、
前記複数の溝は、互いに平行で、
前記複数の溝の内、つま先に近い溝は第１の溝であり、かかとに近い溝は第２の溝であり、
前記第１の溝と前記第２の溝との間に導電性合成樹脂体が位置し、
この導電性合成樹脂体の地面に接触する側には前記複数の溝が形成されていない
ことを特徴とする請求項１又は請求項２記載の履物。
【考案の詳細な説明】
【技術分野】
【０００１】
本考案は、履物に係り、特に、ソールの一部に導電性材料を使用した履物に関する。
【背景技術】
【０００２】
導電性のソールを有した履物がある（例えば、特許文献１参照）。この履物にあっては、ソール全体に亘って導電性材料が用いられている。
【先行技術文献】
【特許文献】
【０００３】
【特許文献１】実用新案登録第３１４９１２７号公報  図２
【考案の概要】
【考案が解決しようとする課題】
【０００４】
上記特許文献１記載の履物にあっては、ソール全体に亘って導電性材料が用いられているため、コストがかかるという問題点が生じた。
【０００５】
本考案は、上記の問題点を除去するようにソールの一部に導電性材料を使用した履物を提供することを目的とする。
【課題を解決するための手段】
【０００６】
請求項１記載の履物は、ソールを有した履物であって、前記ソールは、地面に接触するアウトソール層と、着用者の足をサポートする上層と、この上層と前記アウトソール層との間に位置する中間層とを有し、前記上層には、前記上層の長手方向を横断する方向に形成された上層導電部を有し、前記中間層には、前記上層導電部に接触する中間導電部を有し、前記アウトソール層には、前記中間導電部に接触するアウトソール導電部を有し、前記上層導電部は、前記上層の足指と土踏まずの間の盛り上がった部分である足根小球が当接する部分に前記上層の長手方向を横断する方向に導電性の糸でジグザグ状、又は、直線状に形成され、前記中間導電部は、前記中間層の表面から裏面に至る第１のスリットと、この第１のスリットを介して前記中間層の表面から裏面に付着された第１の帯状の導電部とを有し、前記アウトソール導電部は、前記アウトソール層の裏面に設けられた前記裏面に開口する凹所と、前記アウトソール層の表面から前記凹所に至るスリットと、このスリットを介して前記アウトソール層の表面から前記凹所の天井面に付着された第２の帯状の導電部と、前記凹所を埋めるように設けられた導電性の合成樹脂で形成された導電性合成樹脂体とを有し、前記導電性合成樹脂体は前記第２の帯状の導電部に接触しているものである。
【０００７】
また、請求項２記載の履物は、ソールを有した履物であって、前記ソールは、地面に接触するアウトソール層と、着用者の足をサポートする上層と、この上層と前記アウトソール層との間に位置する中間層とを有し、前記上層には、前記上層の長手方向を横断する方向に形成された上層導電部を有し、前記中間層には、前記上層導電部に接触する中間導電部を有し、前記アウトソール層には、前記中間導電部に接触するアウトソール導電部を有し、前記上層導電部は、前記上層の足指と土踏まずの間の盛り上がった部分である足根小球が当接する部分に前記上層の長手方向を横断する方向に導電性の糸でジグザグ状、又は、直線状に形成され、前記中間導電部は、前記中間層の表面から裏面に至る第１のスリットと、この第１のスリットを介して前記中間層の表面から裏面に付着された第１の帯状の導電部とを有し、前記アウトソール導電部は、前記アウトソール層を貫通する開口部と、この開口部を埋めるように設けられた導電性の合成樹脂で形成された導電性合成樹脂体とを有するものである。
【０００８】
また、請求項３記載の履物は、請求項１又は請求項２記載の履物において、アウトソール層の裏面に前記アウトソール層の長手方向を横断する方向に複数の溝を形成し、前記複数の溝は、互いに平行で、前記複数の溝の内、つま先に近い溝は第１の溝であり、かかとに近い溝は第２の溝であり、前記第１の溝と前記第２の溝との間に導電性合成樹脂体が位置し、この導電性合成樹脂体の地面に接触する側には前記複数の溝が形成されていないものである。
【考案の効果】
【０００９】
請求項１記載の履物によれば、従来のように、ソール全体を導電性材料を使用しなくても、足の裏が直接又はストッキングを介して上層導電部に接触し、足に帯電した静電気が上層導電部、中間導電部、アウトソール導電部を通り床等に効率良く導くことができ、特に、前記中間導電部は中間層全体ではない一部である第１の帯状の導電部であり、前記アウトソール導電部はアウトソール層全体ではない一部である第２の帯状の導電部、導電性合成樹脂体と導電性材料を少なくした履物を得ることができる。
【００１０】
また、請求項２記載の履物によれば、従来のように、ソール全体を導電性材料を使用しなくても、足の裏が直接又はストッキングを介して上層導電部に接触し、足に帯電した静電気が上層導電部、中間導電部、アウトソール導電部を通り床等に効率良く導くことができ、特に、前記中間導電部は中間層全体ではない一部である第１の帯状の導電部であり、前記アウトソール導電部はアウトソール層全体ではない一部である導電性合成樹脂体と導電性材料を少なくした履物を得ることができる。
【００１１】
また、請求項３記載の履物によれば、請求項１又は請求項２記載の考案の効果に加え、アウトソール層の裏面に前記アウトソール層の長手方向を横断する方向に複数の溝を形成して滑りにくくすると共に、導電性合成樹脂体の地面に接触する側にはアウトソール層の裏面に前記アウトソール層の長手方向を横断する方向の複数の溝が形成されていないため、前記複数の溝がない分、導電性合成樹脂体の強度低下もなく、更に、前記複数の溝がない分、地面との接触面積の低下もなく、足に帯電した静電気を床等に導くことができる。
【図面の簡単な説明】
【００１２】
【図１】図１は、本考案の一実施例の履物の概略的斜視図である。
【図２】図２は、図１の履物のソールを分解して斜め上方より見た概略的斜視図である。
【図３】図３は、図１の履物のソールを分解して斜め下方より見た概略的斜視図である。
【図４】図４は、図２の概略的断面図である。
【図５】図５は、図４記載の上層導電部、中間導電部、アウトソール導電部が接触している状態を示す概略的断面図である。
【図６】図６は、図３記載のアウトソール層と異なる他の実施例のアウトソール層の概略的斜視図である。
【考案を実施するための形態】
【００１３】
本考案の一実施例の履物を図面を参照して説明する。 
図１乃至図５において、Ｆは履物で、履物Ｆは、足の甲部を覆うアッパー１と、ソール２とから、概略的に構成されている。
【００１４】
ソール２は、地面に接触するアウトソール層２１と、着用者の足をサポートする上層２２と、この上層２２とアウトソール層２１との間に位置する中間層２３とを有している。
【００１５】
上層２２には、上層２２の長手方向を横断する方向に形成された上層導電部２２Ａを有している。
この上層導電部２２Ａは、上層２２の足指と土踏まずの間の盛り上がった部分である足根小球が当接する部分に上層２２の長手方向を横断する方向に導電性の糸でジグザグ状（又は、直線状）に形成されている。
【００１６】
中間層２３には、上層導電部２２Ａに接触する中間導電部２３Ａを有している。
中間導電部２３Ａは、中間層２３の表面から裏面に至る第１のスリット２３Ａ１、２３Ａ１と、この第１のスリット２３Ａ１、２３Ａ１を介して中間層２３の表面から裏面、裏面から表面に至るように付着された第１の帯状の導電部２３Ａ２とを有し、第１の帯状の導電部２３Ａ２は、断面略ロの字状に形成されている。
なお、本実施例においては、第１のスリット２３Ａ１、２３Ａ１と二つ設けたが、図示しないが第１のスリットを一つ設け、一つの第１のスリットを介して中間層２３の表面から裏面に至るようにして、第１の帯状の導電部２３Ａ２を断面略コの字状に形成するようにしても良い。
【００１７】
アウトソール層２１には、中間導電部２３Ａに接触するアウトソール導電部２１Ａを有している。
このアウトソール導電部２１Ａは、アウトソール層２１の裏面に設けらた前記裏面に開口する凹所２１Ａ１と、アウトソール層２１の表面から凹所２１Ａ１に至るスリット２１Ａ２と、このスリット２１Ａ２を介してアウトソール層２１の表面から凹所２１Ａ１の天井面に付着された第２の帯状の導電部２１Ａ３と、凹所２１Ａ１を埋めるように設けられた導電性の合成樹脂で形成された導電性合成樹脂体２１Ａ４とを有し、導電性合成樹脂体２１Ａ４は第２の帯状の導電部２１Ａ３に接触している。第２の帯状の導電部２１Ａ３は、断面略コの字状に形成されている。
【００１８】
従って、上述した履物Ｆによれば、従来のように、ソール全体を導電性材料を使用しなくても、足の裏が直接又はストッキングを介して上層導電部２２Ａに接触し、足に帯電した静電気が上層導電部２２Ａ、中間導電部２３Ａ、アウトソール導電部２１Ａを通り床等に効率良く導くことができ、特に、中間導電部２３Ａは中間層２３全体ではない一部である第１の帯状の導電部２３Ａ２であり、アウトソール導電部２１Ａはアウトソール層２１全体ではない一部である第２の帯状の導電部２１Ａ３、導電性合成樹脂体２１Ａ４と導電性材料を少なくした履物Ｆを得ることができる。
【００１９】
なお、アウトソール層２１の裏面には、アウトソール層２１の長手方向を横断する方向に複数の溝、例えば、第１の溝Ｍ１、第２の溝Ｍ２、第３の溝Ｍ３、第４の溝Ｍ４が形成され、前記複数の溝Ｍ１、Ｍ２、Ｍ３、Ｍ４は、互いに平行で、複数の溝Ｍ１、Ｍ２、Ｍ３、Ｍ４の内、つま先に近い溝は第１の溝Ｍ１であり、かかとに近い溝は第２の溝Ｍ４となっている。
第１の溝Ｍ１と第２の溝Ｍ４との間に導電性合成樹脂体２１Ａ４が位置し、この導電性合成樹脂体２１Ａ４の地面に接触する側には複数の溝Ｍ１、Ｍ２、Ｍ３、Ｍ４が形成されていない。
【００２０】
このように、アウトソール層２１の裏面にアウトソール層２１の長手方向を横断する方向に複数の溝Ｍ１、Ｍ２、Ｍ３、Ｍ４を形成して滑りにくくすると共に、導電性合成樹脂体２１Ａ４の地面に接触する側にはアウトソール層２１の裏面にアウトソール層２１の長手方向を横断する方向の複数の溝Ｍ１、Ｍ２、Ｍ３、Ｍ４が形成されていないため、前記複数の溝Ｍ１、Ｍ２、Ｍ３、Ｍ４がない分、導電性合成樹脂体２１Ａ４の強度低下もなく、更に、前記複数の溝Ｍ１、Ｍ２、Ｍ３、Ｍ４がない分、地面との接触面積の低下もなく、足に帯電した静電気を床等に導くことができる。
【００２１】
上述した実施例においては、アウトソール導電部２１Ａをアウトソール層２１の裏面に設けらた前記裏面に開口する凹所２１Ａ１と、アウトソール層２１の表面から凹所２１Ａ１に至るスリット２１Ａ２と、このスリット２１Ａ２を介してアウトソール層２１の表面から凹所２１Ａ１の天井面に付着された第２の帯状の導電部２１Ａ３と、凹所２１Ａ１を埋めるように設けられた導電性の合成樹脂で形成された導電性合成樹脂体２１Ａ４とで構成したが、
本願考案にあっては、これに限らず、図６に示すように、アウトソール導電部２１Ａは、アウトソール層２１の裏面に設けられたアウトソール層２１を貫通する開口部２１Ａ１’と、この開口部２１Ａ１’を埋めるように設けられた導電性の合成樹脂で形成された導電性合成樹脂体２１Ａ４’とを有するようにし、導電性合成樹脂体２１Ａ４’は第２の帯状の導電部２１Ａ３に接触させるようにしても、
上述した実施例と同様の効果、つまり、従来のように、ソール全体を導電性材料を使用しなくても、足の裏が直接又はストッキングを介して上層導電部に接触し、足に帯電した静電気が上層導電部、中間導電部、アウトソール導電部を通り床等に効率良く導くことができ、特に、前記中間導電部は中間層全体ではない一部である第１の帯状の導電部であり、前記アウトソール導電部はアウトソール層全体ではない一部である導電性合成樹脂体２１Ａ４’と導電性材料を少なくした履物を得ることができる。
【符号の説明】
【００２２】
Ｆ      履物
２      ソール
２１    アウトソール層
２１Ａ  アウトソール導電部
２２    上層
２２Ａ  上層導電部
２３    中間層
２３Ａ  中間導電部
【図１】
0003191380.tif 000003
【図２】
0003191380.tif 000004
【図３】
0003191380.tif 000005
【図４】
0003191380.tif 000006
【図５】
0003191380.tif 000007
【図６】
0003191380.tif 000008